(57)【要約】【課題】  カメラモジュールの反射鏡構造を提供することを課題とする。【解決手段】  本発明は、カメラモジュールと、カメラモジュールの光軸に平行な反射鏡回動軸と、反射鏡回動軸の一端に連結し、光軸と１つの角度で交わる反射鏡とを含む反射鏡構造を開示する。反射鏡が被写体の位置の違いにより、反射鏡回動軸を中心として回動し、被写体の画像をカメラモジュール内に入らせる。【選択図】      図１
2015161948.tif 000002
【特許請求の範囲】
【請求項１】
カメラモジュールと、
前記カメラモジュールの光軸に沿って配置された反射鏡回動軸と、
前記反射鏡回動軸の一端に連結し、前記光軸と１つの角度で交わる反射鏡と、を含む反射鏡構造において、
前記反射鏡が被写体の位置の違いにより、前記反射鏡回動軸を中心として回動し、被写体の画像を前記カメラモジュール内に入らせることを特徴とする反射鏡構造。
【請求項２】
前記反射鏡に連結し、かつ前記光軸に平行な反射鏡支持台を更に含むことを特徴とする請求項１に記載の反射鏡構造。
【請求項３】
前記反射鏡支持台を回転することで、前記反射鏡を回転させることを特徴とする請求項２に記載の反射鏡構造。
【請求項４】
前記反射鏡と前記光軸の交角は４５度であることを特徴とする請求項１に記載の反射鏡構造。
【請求項５】
前記反射鏡を回転する回転機構を更に含むことを特徴とする請求項１に記載の反射鏡構造。
【請求項６】
前記回転機構は、手動で駆動される或いはモータで駆動されることを特徴とする請求項５に記載の反射鏡構造。
【請求項７】
前記反射鏡は、画像を撮影する時に回転することを特徴とする請求項５に記載の反射鏡構造。
【請求項８】
前記カメラモジュールは、反射鏡を利用して、光軸に直交する平面上に位置する被写体を撮影することを特徴とする請求項１に記載の反射鏡構造。
【請求項９】
請求項１に記載の反射鏡構造を備え、
前記反射鏡を回転する回転機構と、
前記カメラモジュールと前記反射鏡回動軸と前記反射鏡と前記回転機構とを配置する装置ケースと、
を更に含むカメラにおいて、
前記回転機構により前記反射鏡を回転して写真を撮影することを特徴とするカメラ。
【請求項１０】
前記回転機構は、手動で駆動される或いはモータで駆動されることを特徴とする請求項９に記載のカメラ。
【請求項１１】
カメラモジュールと、
前記カメラモジュールの光軸に平行な反射鏡回動軸と、
前記反射鏡回動軸の一端に連結し、前記光軸と１つの角度で交わる反射鏡と
を含む反射鏡構造において、
前記反射鏡が被写体の位置の違いにより、前記反射鏡回動軸を中心として回動し、被写体の画像を前記カメラモジュール内に入らせることを特徴とする反射鏡構造。
【発明の詳細な説明】
【技術分野】
【０００１】
本発明は、反射鏡構造に関し、特に、カメラモジュールに用いることができる反射鏡構造に関する。
【背景技術】
【０００２】
近年、カメラモジュールは特にモバイルデバイスに広く普及している。以前のように１個のみのカメラモジュールを配置して写真撮影することはすでに十分ではなくなり、一般消費者の異なる応用、例えば自撮り、を満たすために、多くのモバイルデバイスには２個以上のカメラモジュールが配置されている。
【０００３】
１個のカメラモジュールを利用したノーマル写真撮影、および自撮りのニーズを満たすために、２個のカメラモジュールが撮影方向及び自撮り方向に各々配置されている。更にカメラモジュールの数量を減らすことで上述したカメラの応用を達成するため、１個のみのカメラモジュールの配置に制限しようとする場合において、従来の技術では回転軸が光軸に直交する反射鏡を利用する。ノーマル撮影モードにおいて、画像は反射鏡で反射されてカメラモジュールに入る。自撮りモードにおいて、光軸に直交する回転軸に沿って反射鏡を回転してカメラモジュールに入る画像を別の方向に変え、すなわち、反射鏡の回転を利用して前後２方向の画像を反射してカメラモジュールに入れるが、前後２方向のみに限られていた。よって撮影前後２方向以上の画像を撮る需要を満たすために、更に多くのカメラモジュールを配置することが必要である。
【０００４】
また、パノラマ写真を撮影するために、ユーザーの多くはポータブルカメラを利用し、地面に平行にしてカメラを回転させることでパノラマ写真を撮影する。手動でカメラを回転させることによっては、カメラを完全に地面に平行に回転させることはできないため、多くの場合、優れたパノラマ写真を撮影することはできなかった。
【０００５】
よって、如何にして様々な角度、特に３６０度にわたる画像を撮影できるカメラモジュールに用いられる反射鏡を設計するかが、この分野で解決すべき課題となっていた。
【先行技術文献】
【特許文献】
【０００６】
【特許文献１】特開平１８−２１５３５０号公報
【発明の概要】
【発明が解決しようとする課題】
【０００７】
本発明は、カメラモジュールで多方向の画像を撮影させる反射鏡構造を提供することを目的とする。
【課題を解決するための手段】
【０００８】
本発明は、前記従来の技術の問題点に鑑み、カメラモジュールと、カメラモジュールの光軸に平行な反射鏡回動軸と、該反射鏡回動軸の一端に連結し、該光軸と１つの角度で交わる反射鏡とを含む反射鏡構造を提供する。該反射鏡が被写体の位置の違いにより、該反射鏡回動軸を中心として回動し、被写体の画像を該カメラモジュール内に入らせる。
【０００９】
本発明を通じて、カメラモジュールは、光軸に直交する前後２方向上の画像だけでなく、更に光軸に直交する別の方向の３つ以上の方向上の画像を撮影でき、複数個のカメラモジュール或いはその他の複雑な装置を必要としない。
【００１０】
本発明の前記各態様及び他の態様は、下記に限定されない具体的実施例を添付図面に基づいて詳細に説明すると、更に理解できる。
【図面の簡単な説明】
【００１１】
【図１】図１は、本発明の反射鏡構造を示す模式図である。
【図２】図２は、本発明の異なる角度から見た別の反射鏡構造を示す模式図である。
【図３】図３は、本発明の異なる角度から見た別の反射鏡構造を示す模式図である。
【図４】図４は、本発明の反射鏡構造のモジュール化を示す模式図である。
【図５】図５は、本発明のモバイルデバイスに適用した様子を示す模式図である。
【発明を実施するための形態】
【００１２】
本発明の技術的特徴、内容と利点及び実現可能な効果を審査官に更に理解してもらうため、以下に本発明の実施例を挙げて図面に基づいて詳細に説明する。使用する図面は、例示及び明細書の補助のために用いられるが、必ずしも本発明の実施に際しての実際の正確な比率や配置では記載されていないため、添付図面における比率と配置を本発明の実施上における権利範囲として解釈、制限すべきものではない。この点につき、予め説明しておく。
【００１３】
図１を参照すると、本発明の一実施例を示す図である。図に示すように、カメラモジュール１と、該カメラモジュール１の光軸３に位置する反射鏡回動軸２と、該光軸３上に位置すると共に該カメラモジュール１に対面し、該光軸３と４５度で交わる反射鏡４と、該反射鏡回動軸２に位置し、該反射鏡４に連結する反射鏡支持台５と、該光軸３に沿って該反射鏡支持台５を回転することで該反射鏡４を該反射鏡回動軸２を中心として回動させる回転機構６とを含む。図１の状態において、該光軸３を通過し、かつ該光軸３に直交する平面７の一方向上に被写体７１があり、該被写体７１の画像は該反射鏡４の反射を通じて該カメラモジュール１に入る。
【００１４】
該実施例において、該光軸３を通過し、かつ該光軸３に直交する該平面７の別の方向上に被写体７２があり、該回転機構６を通じて、該反射鏡回動軸２を中心として該反射鏡支持台５を回転することで該反射鏡４を該反射鏡回動軸２を中心として１８０度回動させ、この時該反射鏡４の位置が図２に示す通りとなり、該被写体７２の画像が該反射鏡４の反射を通じて該カメラモジュール１に入る。同様の理屈で、該実施例において、該光軸３を通過し、かつ該光軸３に直交する該平面７のいずれかの方向上にある被写体の位置により、該回転機構６を適切に回転させ、該反射鏡４で該平面７上の任意の角度の任意の被写体の画像を反射させて該カメラモジュール１内に入らせ、一方向の撮影に限定しないカメラモジュールを実現する。他の実施例において、該回転機構６は手動装置で、手動で該反射鏡支持台５を回転させ、連動の関係において、更に該反射鏡４を回転させ、この実施例において簡単な方式で該反射鏡４の回転を完了する。他の実施例において、該回転機構６がモータであり、電子信号又はその他の方式により該モータを制御して該反射鏡支持台５を回転させることで、該反射鏡４を回転させる。
【００１５】
ユーザーの異なる需要により、撮影する画像は前記実施例と同じものではなく、被写体が該光軸３を通過し、かつ該光軸３に直交する該平面７上に位置する時、該反射鏡４と該光軸３の交わる角度を調整して、被写体の画像を該カメラモジュール１内に入らせ、撮影できる機能を達成する。例えば一実施例において、被写体７３が該光軸３を通過し、かつ該光軸３と交わる第１角度が４５度の平面７０に位置し、図３を参照すると、この時該反射鏡４と該光軸３が交わる第２角度４１を調整し、該第２角度４１の角度が６７．５度になることを算出する。該実施例において、該反射鏡４と該反射鏡支持台５が交わる該第２角度４１の角度を６７．５度と設計することで、該光軸３と交わる角度が４５度とする該平面７０上の画像が得られる。若干の状況において、該反射鏡回動軸２は該光軸３上にあって該光軸３に平行になるとは限らない。
【００１６】
モジュール化の設計をより簡単にするため、一実施例において、更に該カメラモジュール１と該反射鏡４と該反射鏡支持台５をモジュールブラケット８と組み合わせることはできる。図４を参照すると、設計としては、前記実施例を参考にすることはできる。そして、該モジュールブラケット８を通じて、上述の組み合わせは反射鏡を備えるカメラモジュールをモジュール化する設計となる。よって、異なるシステム間に同じ該カメラモジュールを導入して使用することが便利になり、つまり該実施例において、該カメラモジュールの設計が完了してから、機構の設計に合わせて異なるシステム又は他の撮影需要のある運用に導入することは、別途設計で費やされる時間を減らすことができる。
【００１７】
本発明の技術的特徴を例えばモバイルデバイス、これに限るものではない装置内に運用することで、パノラマ写真又は広角写真を撮影することができる。一実施例において、図５を参照すると、装置ケース８と該反射鏡４と該反射鏡支持台５と該カメラモジュール１と回転モータ６１とを含む。反射鏡の回転方法は前記実施例と同じであるため、ここでは詳細な記述を省略する。本実施例において、該光軸３を装置側辺８１に平行にし、該回転モータ６１によって該反射鏡支持台５を回転させることで、該反射鏡４を該カメラモジュール１に対して回動させ、該反射鏡４が回動方向９或いは逆方向に沿って１８０度回動した時、１８０度の写真を自動的に撮影でき、該装置を移動する必要がない。該実施例において、機構の設計を利用し、該回動方向９が１８０度回動するだけに限らず、１８０度よりも小さいか又は大きくでき、ユーザーの需要に合わせて該回転モータ６１の回転角度を調整し、適合する角度、つまり１８０度より小さいか或いは大きいか又は等しい写真を撮影し、例えばパノラマ写真或いは広角写真とする。
【００１８】
要約すれば、本発明で提供する反射鏡構造は、一方向上に限らない画像をカメラモジュール内に反射し、単一のカメラモジュールを利用して複数のカメラモジュールの機能が達成できる。
【００１９】
これにより、本発明の反射鏡構造の好ましい実施例は、上記説明及び図面で説明した。本明細書内で開示された全ての特徴は、その他の方法と組み合わせることができ、本明細書内に開示される各特徴は選択的に同一、同等又は近似の目的特徴で代替できる。よって、特別顕著な特徴を除き、全ての本明細書で開示される特徴は、同等或いは近似特徴のうちの一例のみである。本発明の好ましい実施例の記述を経た後、当業者は本発明が実際新規性、進歩性及び産業上の利用可能性を有する発明であり、発展価値を極めて有することを理解すべきである。本発明は当業者が種々の変更、修正、改良等を実施できるが、特許の請求範囲で保護しようとするものを含む。
【符号の説明】
【００２０】
１    カメラモジュール
２    反射鏡回動軸
３    光軸
４  反射鏡
４０  第１角度
４１  第２角度
５    反射鏡支持台
６    回転機構
６１  回転モータ
７    平面
７０  平面
７１  被写体
７２  被写体
７３  被写体
８    モジュールブラケット
９    カメラモジュール
８１  装置側辺
９    回動方向
【図１】
2015161948.tif 000003
【図２】
2015161948.tif 000004
【図３】
2015161948.tif 000005
【図４】
2015161948.tif 000006
【図５】
2015161948.tif 000007